(57)【要約】弾性体局所ひずみ低減シーツ【課題】ベッドやソファで使用する弾性体に容易に装着でき、腰痛の発生と程度を抑制するために使用者自身が効果を実感できる位置に手軽に移動調整できる弾性体の局所ひずみ（沈みこみ）を低減する装置を提供する。【解決手段】不伸長性の布帛（伸び率５％以下：測定方法JIS L 1096/2010  Ｂ法に準拠）を基布として、基布の不伸長性を確保するために基布を構成する縦横の繊維に対して両斜めの方向に伸び止め縫製をし、荷重発生の際に被覆対象の弾性体に密着して移動しない程度の表面摩擦を有し、主として使用者の腰椎周辺から臀部までの位置で該弾性体の全幅方向を被覆し、該弾性体に直接、置き敷き、または左右の両端を垂下し、あるいは端部を該弾性体に巻きつけて装着する部分シーツ【選択図】図５
2020036747.tif 000002
【特許請求の範囲】
【請求項１】
不伸長性の布帛（伸び率５％以下：測定方法JIS L 1096/2010  Ｂ法に準拠）を基布として、装着対象の弾性体に局所ひずみが発生する際に該弾性体に密着して移動しない程度の表面摩擦を有し、主として使用者の腰椎周辺から臀部までの位置で該弾性体の全幅方向を被覆し、該弾性体に直接、置き敷き、または左右の両端を垂下し、あるいは端部を弾性体に巻きつけて装着する弾性体局部ひずみ低減シーツ
【請求項２】
基布の不伸長性を確保するために基布を構成する縦横の繊維に対して両斜めの方向に伸び止め縫製をした請求項１に記載した弾性体局所ひずみ低減シーツ。
【請求項３】
装着する弾性体との摩擦力を強化するために弾性体と接する面に液体ゴム・合成樹脂製を塗布する防滑加工や防滑シーツの張り付けを施した請求項１に記載した弾性体局所ひずみ低減シーツ
【請求項４】
両端の垂下部分の先端に重りを挿入できるポケットを設けた請求項１に記載した弾性体局所ひずみ低減シーツ
【発明の詳細な説明】
【技術分野】
【０００１】
本発明は局所荷重で生じる弾性体の局所ひずみを低減する装置に関する。      
【背景技術】
【０００２】
ベッドやソファなどの身体を支持する家具の多くはコイルスプリングや発泡ウレタンなど弾性体の反発弾性で身体を支持する構造であるが、反発弾性が使用者にとって小さすぎると、荷重集中部分である臀部が局所的に大きくひずみ（沈みこみ）、最も自然な状態である立位の状態（図１、１）に比べて腰椎に過度な反り返りや変形（図１、４）が発生し、かつその沈み込み（図１、６）が就寝中の姿勢変化の障害ともなり、腰椎の変形と圧迫による血流の阻害が就寝中続くため腰痛等身体の不調の原因になる。このような過度な局所ひずみを低減する従来の装置としては、該家具に載置するマットレスやクッションが知られている。（非特許文献１、２，３）
【先行技術文献】
【特許文献】
【０００３】
【特許文献１】実登３１６２２６６号
【特許文献２】特開２０１３−９９４９６号
【特許文献３】実登３２１００９７号
【非特許文献】
【０００４】
【非特許文献１】http://motton-japan.com/lp/mat/
【非特許文献２】http://www.truesleeper.jp/memory-foam-benefits-pain/
【非特許文献３】https://www.dinos.co.jp/p/1330801735/
【発明の概要】
【発明が解決しようとする課題】
【０００５】
従来の局所沈みこみ低減装置としてのマットレスは、家具（ベッド・ソファ）の上に載置して、該家具弾性体の反発弾性の補完や使用者と接する面積を拡大する体圧分散で、クッションは家具弾性体の反発弾性の部分的な補完で、それぞれ局所沈みこみを低減している。しかし、以下のような課題がある。
【０００６】
＜１＞従来の局所沈みこみ低減装置で反発弾性が均質であるもの(非特許文献１、２、３)は、その反発弾性が使用者の体格・体形・体重に合わず不足する場合、製品を交換する以外には過度な局所ひずみを低減することが困難であった。
【０００７】
＜２＞従来の局所沈みこみ低減装置には、弾性体の特定部分（腰部など）の反発弾性を調整、強化したもの（特許文献１，２、３）があるが、その強化部分が使用者の個々の体格・体形・体重に対して適当な位置にない場合や反発弾性が不足する場合、過度な局所ひずみを低減することが困難であり、製品全体の交換または専門業者による弾性体の部分的な交換を要し、使用者自身が手軽に調整することが困難であった。
【０００８】
＜３＞従来のマットレスは、ベッド全体をカバーする大きさであり一人で移動するには面積・体積・重量が大きいため、移動や洗濯・乾燥などのメンテナンスが困難であった。
【課題を解決するための手段】
【０００９】
上記課題を解決するため本発明は、家具の弾性体に装着してその反発弾性を補正する装置とした。本発明は、局所荷重で生じる弾性体（ベッドやソファの家具弾性体やそれに載置されたマットレス・クッションの弾性体）の応力を、該弾性体の該局所以外の部分にも広範に分散発生させることにより該局所の応力を低減させ、応力に比例する該局所のひずみを低減させる装置とする。
具体的には、弾性体の被荷重面を被覆する布帛の部分シーツであり、不伸長性があり、弾性体に密着して局所荷重でひずみが発生する際に移動しない程度の表面摩擦をもち、該弾性体に局所荷重がかかると張力を生じて該弾性体との密着面に応力を発生させることにより該弾性体の局所ひずみ低減効果を持つ。 (図２の３)。
【００１０】
本発明のシーツをベッドやソファの弾性体に被覆しその上から局所荷重がかかると、局所荷重直下は本発明のシーツを垂直下方に押し下げ、該局所荷重の縁部では周囲の本発明のシーツを荷重方向に斜めに引き込む作用を持つ。本発明のシーツは不伸長性であり、表面摩擦により該弾性体に密着し移動しないため本発明のシーツに張力が生じ、該弾性体には本シーツと接する点で張力に釣り合う応力が生じる。(図３)。
【００１１】
本発明のシーツは、使用者の主として腰椎周辺から臀部までの位置で該弾性体の全幅方向に横断して該弾性体を被覆するので、本シーツと該弾性体との接点は局所荷重直下以外にも広範な部分に存在し、そこに上記の応力が生じる。弾性体に生じる応力の総和は該局所荷重と釣り合うので、該局所の応力はその他部分で生じる応力だけ低減され、それに比例するひずみ（沈みこみ）も低減することができる。（図２の６）
【発明の効果】
【００１２】
＜１＞本発明は、ベッドやソファの弾性体や、その反発弾性を補完する目的で載置した従来の局所ひずみ低減装置の反発弾性が、使用者の体格・体形・体重に対して不足することにより生じる過度な局所ひずみ（沈みこみ）を低減する効果を持つ。
【００１３】
＜２＞本発明は、個々の使用者が自身の体格・体形・体重に合わせて効果を実感できる位置への調整移動することを容易にする効果を持つ。（図４）
【００１４】
＜３＞本発明は、一人で移動するに十分に小さく軽量な部分シーツであり、移設や洗濯・乾燥などのメンテナンスが容易になる効果を持つ。
【００１５】
＜４＞本発明は、被覆する弾性体の局所の疲労劣化による反発弾性減衰（いわゆる「へたり」）の発生を遅延させる効果を持つ。
【図面の簡単な説明】
【００１６】
【図１】ベッドでの腰椎と応力の状態
【図２】本発明のシーツ装着での腰椎と応力の状態(a)縦断面図(b)横断面図(c)平面図
【図３】荷重発生前と荷重発生後の本発明のシーツの張力・弾性体の応力の状態(a)荷重発生前(b)荷重発生後
【図４】体格の違いによる局所荷重位置の変化と弾性体の応力の状態
【図５】本発明のシーツの構成(a)     本発明のシーツの表・裏の構成(b)     本発明のシーツの断面
【図６】本発明のシーツのベッドへの装着方法(a-1)  置き敷きアクソメ図(a-2)  置き敷き断面図(b-1)  両端垂下アクソメ図(b-2)  両端垂下断面図(c-1)  端部巻きこみアクソメ図(c-2)  端部巻きこみ断面図
【図７】本発明のシーツのソファへの装着方法(a-1)  横両端垂下アクソメ図(a-2)  横両端垂下側面図(b-1)  縦両端垂下アクソメ図(b-2)  縦両端垂下側面図(c-1)  端部巻きこみアクソメ図(c-2)  端部巻きこみ側面図
【発明を実施するための形態】
【００１７】
本発明は、不伸長性の布帛（伸び率５％以下：測定方法JIS L 1096/2010  Ｂ法に準拠）を基布として、装着対象の弾性体に局所荷重が発生する際に該弾性体に密着して移動しない程度の表面摩擦を有し、主として使用者の腰椎周辺から臀部までの位置で該弾性体の全幅方向に横断して被覆し、該弾性体に直接敷設または該弾性体との密着を強化するために左右の両端を垂下しあるいは端部を該弾性体に巻きつけて装着する部分シーツの形態をとる。（図５）
【００１８】
基布の不伸長性を確保するために、基布を構成する縦横の繊維に対して両斜めの方向に伸び止め縫製をしても良い。（図５、３０２）
【００１９】
弾性体との表面摩擦を確保するため、基布の裏面に液体ゴムや合成樹脂系防滑剤をドット状やライン状に塗布するほかズレ防止用のシーツを張り付けても良い。（図５、３０３）
【００２０】
弾性体との表面摩擦を確保するため、両端の垂下部分にポケットを設けその中に重りを挿入して該弾性体との密着性を高めても良い。（図５、３０４）
【実施例】
【００２１】
ベッドの使用者の腰椎周辺から臀部が乗る位置に、家具の弾性体を横断する方向に、置き敷き、両端を垂下、または端部を該弾性体に巻きこんで装着するベッド用部分シーツ(図６)。
【００２２】
ソファの使用者の腰椎周辺から臀部、または臀部が乗る位置で家具の弾性体を横断する方向に両端を垂下または、端部を該弾性体に巻きこんで装着するソファ用部分シーツ（図７）。
【産業上の利用可能性】
【００２３】
寝具補完用品  家具補完用品  介護病院用補完用品
【符号の説明】
【００２４】
１  ：立位の身体姿勢
１１：腰椎が変形した身体姿勢
１２：局所沈みこみが低減された身体姿勢
１３：標準的な体格の身体
１４：小柄な体格の身体
１５：大柄な体格の身体
１６：臀部
２  ：弾性体
３  ：本発明のシーツ
３０：置き敷きの本発明のシーツの状態
３１：両端垂下での本発明のシーツの装着状態
３２：端部巻きこみでの本発明のシーツの装着状態
３３：ソファでの端部巻きこみでの本発明のシーツ装着状態
３４：本発明のシーツ表面
３５：本発明のシーツ裏面
３０１：本発明のシーツの基布
３０２：伸び止め縫製
３０３：防滑剤（液体ゴム・合成樹脂防滑剤）
３０４：密着用重り入れポケット
３０５：密着用重り
４  ：変形した腰椎
５  ：弾性体の応力
６  ：ひずみ（沈み込み）
６１：局部沈みこみ部分
７  ：荷重
７１：荷重によるシーツを引き込む力
８  ：本発明のシーツの張力
８１：弾性体とシートの接点Ａ
８２：身体と本シーツの接点Ｂ
９  ：弾性体の張力に対する応力
９１：弾性体の垂直応力
９２：弾性体の水平応力
【図１】
2020036747.tif 000003
【図２】
2020036747.tif 000004
【図３】
2020036747.tif 000005
【図４】
2020036747.tif 000006
【図５】
2020036747.tif 000007
【図６】
2020036747.tif 000008
【図７】
2020036747.tif 000009
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
不伸長性の布帛（伸び率５％以下：測定方法JIS L 1096/2010  Ｂ法に準拠）を基布として、基布の不伸長性を確保するために基布を構成する縦横の繊維に対して両斜めの方向に伸び止め縫製をし、装着対象の弾性体に局所ひずみが発生する際に該弾性体に密着して移動しない程度の表面摩擦を有し、主として使用者の腰椎周辺から臀部までの位置で該弾性体の全幅方向を被覆し、該弾性体に直接、置き敷き、または端部を弾性体に巻きつけて装着する弾性体局部ひずみ低減シーツ
【請求項２】
不伸長性の布帛（伸び率５％以下：測定方法JIS L 1096/2010  Ｂ法に準拠）を基布として、基布の不伸長性を確保するために基布を構成する縦横の繊維に対して両斜めの方向に伸び止め縫製をし、装着対象の弾性体に局所ひずみが発生する際に該弾性体に密着して移動しない程度の表面摩擦を有し、主として使用者の腰椎周辺から臀部までの位置で該弾性体の全幅方向を被覆し、左右の両端を垂下し、あるいは垂下した端部に重りを挿入できるポケットを設けた弾性体局部ひずみ低減シーツ。
【請求項３】
装着する弾性体との摩擦力を強化するために弾性体と接する面に液体ゴム・合成樹脂製を塗布する防滑加工や防滑シーツの張り付けを施した請求項１、または２に記載した弾性体局所ひずみ低減シーツ
【手続補正２】
【補正対象書類名】明細書
【補正対象項目名】００１８
【補正方法】変更
【補正の内容】
【００１８】
基布の斜め方向にも不伸長性を確保するために、基布を構成する縦横の繊維に対して両斜めの方向に繊維の不伸長性を利用した伸び止め縫製を行う。（図５、３０２）
【手続補正３】
【補正対象書類名】明細書
【補正対象項目名】００２０
【補正方法】変更
【補正の内容】
【００２０】
弾性体との表面摩擦を確保するため、両端を垂下して装着する場合、垂下部分にポケットを設けその中に重りを挿入して該弾性体との密着性を高めても良い。（図５、３０４）